(57)【特許請求の範囲】
【請求項１】
光ディスク（２０）へのデータ書込み時では、前記光ディスク（２０）上のトラックの半径方向へ異なる位置の少なくとも２箇所にそれぞれ光スポット（３２ａ，３２ｂ）を照射し、２個の光スポット（３２ａ，３２ｂ）の内、一方及び他方の光スポットをそれぞれデータ書込み用光スポット（３２ａ）及びデータ読出し用光スポット（３２ｂ）として用いて、データ書込み用光スポット（３２ａ）の照射されるトラック（３０）へのデータ書込みと、データ読出し用光スポット（３２ｂ）の照射されるトラック（３０）からのデータ読出しとを、並行して行う光ディスク用データ読書き装置であって、
前記光ディスク（２０）へのデータ書込み時に、前記データ読出し用光スポット（３２ｂ）の照射されるトラック（３０）は、前記データ書込み用光スポット（３２ａ）が照射されてデータの書込み済みとなっているトラック（３０）であり、
且つ、前記光ディスク（２０）へのデータ書込み時に、データを書込むトラック（３０）をジャンプするときは、その時点までに前記データ書込み用光スポット（３２ａ）の照射トラック（３０）に書込んだデータを、前記データ読出し用光スポット（３２ｂ）の反射光による読出しが終了するまでデータの書込みを一時中止し、読出し終了後、ジャンプ先のトラック（３０）へジャンプして、書込みを再開することを特徴とする光ディスク用データ読書き装置。
【請求項２】
光ディスク（２０）からのデータ読出し時では、前記光ディスク（２０）上のトラックの半径方向へ異なる位置の複数箇所へ各光スポット（３２ａ，３２ｂ）を照射し、各光スポット（３２ａ，３２ｂ）が照射される各トラック（３０）からの反射光を用いて各トラック（３０）のデータを同時に読出し、
光ディスク（２０）へのデータ書込み時では、前記光ディスク（２０）上のトラックの半径方向へ異なる位置の少なくとも２箇所にそれぞれ光スポット（３２ａ，３２ｂ）を照射し、２個の光スポット（３２ａ，３２ｂ）の内、一方及び他方の光スポットをそれぞれデータ書込み用光スポット（３２ａ）及びデータ読出し用光スポット（３２ｂ）として用いて、データ書込み用光スポット（３２ａ）の照射されるトラック（３０）へのデータ書込みと、データ読出し用光スポット（３２ｂ）の照射されるトラック（３０）からのデータ読出しとを並行して行う光ディスク用データ読書き装置であって、
前記光ディスク（２０）へのデータ書込み時に、前記データ読出し用光スポット（３２ｂ）の照射されるトラック（３０）は、前記データ書込み用光スポット（３２ａ）が照射されてデータの書込み済みとなっているトラック（３０）であり、
且つ、前記光ディスク（２０）へのデータ書込み時に、データを書込むトラック（３０）をジャンプするときは、その時点までに前記データ書込み用光スポット（３２ａ）の照射トラック（３０）に書込んだデータを、前記データ読出し用光スポット（３２ｂ）の反射光による読出しが終了するまでデータの書込みを一時中止し、読出し終了後、ジャンプ先のトラック（３０）へジャンプして、書込みを再開することを特徴とする光ディスク用データ読書き装置。
【発明の詳細な説明】
【０００１】
【発明の属する技術分野】
この発明は、ＭＤ録再機等の光ディスク用データ読書き装置に関するものである。
【０００２】
【従来の技術】ＭＤ録再機では、録音時では、光ピックアップより所定強度の光スポットをＭＤのトラックに照射し、その部位の記録膜をキュリー点以上に加熱しつつ、その部位に磁気コイルからの磁界を印加して、データを書込んでいる。
【０００３】
【発明が解決しようとする課題】
従来のＭＤ録再機では、録音時にＭＤへオーディオデータを記録つつ、オーディオデータがＭＤへ実際にどのように書込まれたかをモニターすることができなかった。
【０００４】
一方、光ディスクに、その半径方向の異なる複数個のトラックにそれぞれ光スポットを照射して、各光スポットからの反射光を同時に読み取って、データの読み取り速度を増大させる光ディスク用データ読書き装置は提案されているが、それら複数個の光スポットについて、ＡＶデータ書込み時に有効に利用する仕方についてはなんら示唆されていない。
【０００５】
この発明の目的は、光ディスクへのデータ書込み時にモニター等することのできる光ディスク用データ読書き装置を提供することである。
【０００６】
【課題を解決するための手段】
この発明の光ディスク用データ読書き装置（１０）によれば、光ディスク（２０）へのデータ書込み時では、光ディスク（２０）の半径方向へ異なる位置の少なくとも２個の各トラック（３０）にそれぞれ光スポット（３２ａ，３２ｂ）を照射し、２個の光スポット（３２ａ，３２ｂ）の内、一方及び他方の光スポットをそれぞれデータ書込み用光スポット（３２ａ）及びデータ読出し用光スポット（３２ｂ）として用いて、データ書込み用光スポット（３２ａ）の照射されるトラック（３０）へのデータ書込みと、データ読出し用光スポット（３２ｂ）の照射されるトラック（３０）からのデータ読出し用光スポット（３２ｂ）の反射光によるデータ読出しとを、並行して行うようになっている。
【０００７】
光ディスク用データ読書き装置（１０）は、ＡＶの録再装置に限定されない。すなわち、光ディスク（２０）に書込まれるデータは、ＡＶデータに限定されず、コンピュータの使用の際に利用されるコンピュータ用データも含まれる。なお、この明細書において、ＡＶ（Ａｕｄｉｏ  ＆  Ｖｉｄｅｏ）は、オーディオ（Ａｕｄｉｏ）及びビデオ（Ｖｉｄｅｏ）の両方の場合だけでなく、オーディオ及びビデオの一方のみを意味する場合も含むものとする。光ディスク（２０）には、例えばＭＤ（２０）、ＤＶＤ、及びＣＤ−Ｒ等が含まれる。データ書込み時のデータ書込み及びデータ読出しの並行実施は、データがＡＶデータである場合は、例えばモニターのために使用され、また、データがコンピュータ用データである場合には、ベリファイのために使用される。
【０００８】
データ書込み時に光ピックアップ（１１）から光ディスク（２０）へ照射される光スポット（３２ａ−ｃ）の個数は、２個に限定されず、３個以上であってもよい。３個以上の場合は、通常、１個はデータ書込み用光スポット（３２ａ）として、残りはデータ読出し用光スポット（３２ｂ）として使用される。通常の光ディスク（２０）では、トラック（３０）は、光ディスク（２０）に螺旋状に１本延びているのみであるが、そのような場合には、ここで言うトラック（３０）とは、１周分の各トラック部分を言うものとする。
【０００９】
データ書込み用光スポット（３２ａ）及びデータ読出し用光スポット（３２ｂ）の形成されるトラック（３０）は、光ディスク（２０）の半径方向へ隣り同士のトラック（３０）だけでなく、光スポットの照射されない１個か複数個のトラック（３０）を間に存在している関係のトラック（３０）であってもよいとする。
【００１０】
このように、光ディスク（２０）に、データ書込み用光スポット（３２ａ）及びデータ読出し用光スポット（３２ｂ）を形成して、データ書込み用光スポット（３２ａ）の形成されるトラック（３０）へのデータ書込みと、データ読出し用光スポット（３２ｂ）の反射光からのデータ読出しとを、並行に行うことにより、モニター、ベリファイ、その他の処理が可能となる。
【００１１】
なお、複数個の光スポット（３２ａ−ｃ）のうち、１つの光スポット（３２ａ−ｃ）について、トラッキング制御を行えば、他の光スポット（３２ａ−ｃ）も自動的にトラッキング制御できる。
【００１２】
この発明の光ディスク用データ読書き装置（１０）によれは、光ディスク（２０）からのデータ読出し時では、光ディスク（２０）の半径方向へ異なる位置の複数個の各トラック（３０）へ各光スポット（３２ａ，３２ｂ）を照射し、各光スポット（３２ａ，３２ｂ）の照射される各トラック（３０）からのデータ読出し用光スポット（３２ｂ）の反射光から各トラック（３０）のデータを同時に読出すようになっている。そして、光ディスク用データ読書き装置（１０）において、光ディスク（２０）へのデータ書込み時では、光ディスク（２０）からのデータ読出し時に光ディスク（２０）の各トラック（３０）に照射した複数個の光スポット（３２ａ，３２ｂ）の内の２個の光スポットをそれぞれデータ書込み用光スポット（３２ａ）及びデータ読出し用光スポット（３２ｂ）として用いて、データ書込み用光スポット（３２ａ）の照射されるトラック（３０）へのデータ書込みと、データ読出し用光スポット（３２ｂ）の照射されるトラック（３０）からのデータ読出し用光スポット（３２ｂ）の反射光によるデータ読出しとを、並行して行うようになっている。
【００１３】
データ読出し時に生成する光スポット（３２ａ−ｃ）を利用して、データ書込み時にデータ書込み用光スポット（３２ａ）及びデータ読出し用光スポット（３２ｂ）を設定できるので、データ書込み用光スポット（３２ａ）及びデータ読出し用光スポット（３２ｂ）を生成する光ピックアップ（１１）の構造を簡略化できる。
【００１４】
この発明の光ディスク用データ読書き装置（１０）によれば、データ書込み用光スポット（３２ａ）及びデータ読出し用光スポット（３２ｂ）の照射されるトラック（３０）は光ディスク（２０）の半径方向へ隣り合っているものである。
【００１５】
ＭＤ（２０）等の通常の光ディスク（２０）では、データの書込みは、内周側のトラック（３０）から外周側のトラック（３０）へ順番に行われる。したがって、データ読出し用光スポット（３２ｂ）及びデータ書込み用光スポット（３２ａ）を光ディスク（２０）の半径方向へ隣り合うトラック（３０）とすることにより、データを書込んだトラック（３０）からデータを速やかに読出したり、データを読出したトラック（３０）に速やかにデータを書込んだりすることができる。
【００１６】
この発明の光ディスク用データ読書き装置（１０）によれば、光ディスク（２０）へのデータ書込み時に、データ読出し用光スポット（３２ｂ）の照射されるトラック（３０）は、データ書込み用光スポット（３２ａ）が照射されてデータの書込み済みとなっているトラック（３０）である。
【００１７】
すなわち、データ書込み用光スポット（３２ａ）を使ってデータを書込んだトラック（３０）から、データ読出し用光スポット（３２ｂ）によりデータを読出すことになる。
【００１８】
この発明の光ディスク用データ読書き装置（１０）によれば、データはＡＶデータであり、光ディスク（２０）へのデータ書込み時に、データ読出し用光スポット（３２ｂ）の反射光から読出したＡＶデータは、モニター用に再生されるようになっている。
【００１９】
データ読出し用光スポット（３２ｂ）の反射光より読出したＡＶデータを再生して、光ディスク（２０）へのＡＶデータの書込みが正しく行われたかを確認することができる。
【００２０】
この発明の光ディスク用データ読書き装置（１０）によれば、データはコンピュータ用データであり、光ディスク（２０）へのデータ書込み時に、データ読出し用光スポット（３２ｂ）の反射光から読出したコンピュータ用データは、データが正しく書込まれたか否かのベリファイされるようになっている。
【００２１】
データ読出し用光スポット（３２ｂ）の反射光より読出したコンピュータ用データをベリファイして、光ディスク（２０）へのコンピュータ用データの書込みが正しく行われたかを確認することができる。
【００２２】
この発明の光ディスク用データ読書き装置（１０）によれば、光ディスク（２０）へのデータ書込み時に、データを書込むトラック（３０）をジャンプするときは、その時点までにデータ書込み用光スポット（３２ａ）の照射トラック（３０）に書込んだデータを、データ読出し用光スポット（３２ｂ）の反射光から読出し終了するまでデータの書込みを一時中止し、読出し終了後、ジャンプ先のトラック（３０）へジャンプして、書込みを再開する。
【００２３】
ＭＤ（２０）等の光ディスク（２０）では、新規の場合は、内周のトラック（３０）から順番にＡＶデータが書込まれていくことになるが、トラックの削除、記録、編集等を繰り返した後のデータ書込み時では、書込み用のトラック（３０）をジャンプさせることがある。そのような場合、データ書込み用光スポット（３２ａ）を照射するトラック（３０）をジャンプすると、データ読出し用光スポット（３２ｂ）の照射するトラック（３０）もそれに合わせてジャンプしてしまうので、再生が飛び、モニターのための再生のＡＶが部分的に途切れて、モニターやベリファイが不完全になる。そこで、データ書込み用光スポット（３２ａ）の照射するトラック（３０）をジャンプする場合は、データ記録を一時中止し、その時点までにデータ書込み用光スポット（３２ａ）の照射トラック（３０）に書込んだデータを、データ読出し用光スポット（３２ｂ）の反射光から読出し終了してから、データ書込み用光スポット（３２ａ）の照射トラックをジャンプすることにする。なお、書込みの一時中止中も、録音又は録画信号等の書込み用データ信号が入力され続けるが、それらはメモリに一時的にストアしておくこととし、また、光ディスク（２０）へのデータの書込み速度を倍速以上に設定しておけば、書込みが一中止されても、書込み再開に伴い、メモリのストアデータを倍速等の入力信号の入力速度で書込んで、書込み用データ信号の入力に書込みを追い着がせることができる。
【００２４】
この発明の光ディスク用データ読書き装置（１０）によれば、光ディスク（２０）へのデータ書込み時に、データ読出し用光スポット（３２ｂ）の照射されるトラック（３０）は、データ書込み用光スポット（３２ａ）が照射されてデータがこれから書込まれる前のトラック（３０）である。
【００２５】
すなわち、データ読出し用光スポット（３２ｂ）によりデータを読出したトラック（３０）へ、データ書込み用光スポット（３２ａ）を照射して、データを書込むことになる。読書きデータはＡＶデータである場合、ＡＶデータをトラック（３０）に書込む前に、そのトラック（３０）に、今までどのようなデータを書込まれているか、もし、消去できないようなＡＶデータであれば、録音等を直ちに中止したい場合がある。書込み前に、書込みするトラック（３０）の内容をモニターすることにより、ＡＶデータを消去してよいトラック（３０）かどうかを確認しながら、ＡＶデータの書込みを行うことができる。
【００２６】
【発明の実施の形態】
以下、発明の実施の形態について図面を参照して説明する。
図１はＭＤ録再機１０の光ピックアップ１１の主要部の概略構成図、図２は図１のＭＤ２０における光スポット３２ａ，３２ｂ，３２ｃの形成を示す図である。半導体レーザ１２は１個のレーザ光源を含む。回折格子板１３は半導体レーザ１２とビームスプリッタ１４との間に介在し、半導体レーザ１２からのレーザ光は、回折格子板１３を通過するのに伴い、２個の仮想光源に対応する回折光１６ｂ，１６ｃが生成されるようになっているが、これはあくまでも説明の便宜上のためであり、仮想光源の個数は、回折格子板１３における回折格子パターンにより、２個以外の１，３，４，・・・，ｎ個等、適宜設定できる。半導体レーザ１２からのレーザ光の内、回折格子板１３により回折しない光は、直進して、非回折光１６ａとなり、回折される光は回折光１６ｂ，１６ｃとなる。非回折光１６ａ及び回折光１６ｂ，１６ｃは、ビームスプリッタ１４を直進して、通過し、対物レンズ１５へ向かう。対物レンズ１５は、入射される非回折光１６ａ及び回折光１６ｂ，１６ｃを屈折させて、光源に対応する個数の光スポット３２ａ，３２ｂ，３２ｃ（図２）をＭＤ２０に形成する。なお、図では、ビームスプリッタ１４と対物レンズ１５との間のコリメータレンズが省略されているが、コリメータレンズが省略されないものもある。対物レンズ１５は、コリメータレンズからの入射光を受けつつ、ＭＤ２０との距離をフォーカスサーボ（図示せず）により調整されて、適切な光スポット３２ａ，３２ｂ，３２ｃをＭＤ２０に形成するようになっている。図２において、ＭＤ２０の表面には、複数個のトラック３０が所定間隔を空けて延び、各トラック３０には、ピット（又はマーク）３１が、書込まれたデータに対応して、形成されている。各光スポット３２ａ，３２ｂ，３２ｃは、隣接する別々のトラック３０に形成される。各光スポット３２ａ，３２ｂ，３２ｃの反射光は、対物レンズ１５を逆進し、ビームスプリッタ１４において直角に反射し、光検出部２３のフォトダイオード２４ａ，２４ｂ，２４ｃにそれぞれ入射する。各フォトダイオード２４ａ，２４ｂ，２４ｃは、入射光の光量に関係する信号を信号処理部２５へ出力し、信号処理部２５はフォトダイオード２４ａ，２４ｂ，２４ｃからＲＦ信号を生成する。
【００２７】
この例では、回折光１６ｂ，１６ｃの照射により光スポット３２ｂ，３２ｃが形成されるトラック３０は、非回折光１６ａの照射により光スポット３２ａが形成されるトラック３０に対してＭＤ２０の半径方向内側及び外側にそれぞれ隣接したものとなっている。また、この例では、非回折光１６ａをメインビーム、回折光１６ｂ，１６ｃをサブビームに設定し、メインビームの非回折光１６ａの光スポット３２ａについてのみ、トラッキング制御、及びフォーカス制御を行うことにより、サブビームの回折光１６ｂ，１６ｃの光スポット３２ｂ，３２ｃは自動的にトラッキング及びフォーカシングされるようになっている。
【００２８】
図３はＭＤ録再機１０のブロック図である。ＭＤ録再機１０は記録系４７と再生系４８とを装備し、記録系４７と再生系４８とは同時に作動可能になっている。ＭＤ２０は、ＭＤ録再機１０にセットされ、スピンドルモータ（図示せず）により回転駆動される。光ピックアップ１１は、ＭＤ２０に対して録音／再生時に非回折光１６ａ及び回折光１６ｂ，１６ｃを照射する。図３では、非回折光１６ａ及び回折光１６ｂしか記載されていないが、これは、録音時に必要な非回折光１６ａ及び回折光１６ｂだけを示したものであり、回折光１６ｃも、実際には再生時と同様に照射されている。録音時では、非回折光１６ａ及び回折光１６ｂはデータ書込み用光ビーム及びモニタデータ読出し用光ビームとして作用する。磁気ヘッド４５は、ＭＤ２０を挟んで、光ピックアップ１１と対向して配置され、ＥＦＭモジュレータ５３より送られて来る変調信号に基づく磁束をＭＤ２０に印加する。
【００２９】
再生時では、再生系４８のみが作動する。光ピックアップ１１は、図示していないＣＰＵよりトラッキング位置を制御されて、非回折光１６ａ及び回折光１６ｂ，１６ｃをＭＤ２０へ照射し、対応のトラック３０へ光スポット３２ａ−ｃを形成して、各光スポット３２ａ−ｃからの各反射信号より生成したＲＦ信号をＥＦＭディモジュレータ５６へ出力する。ＲＦ信号はＥＦＭディモジュレータ５６においてＥＦＭの規則に従って復調され、復調信号は再生用ＡＴＲＡＣ信号処理部５７へ出力される。再生用ＡＴＲＡＣ信号処理部５７は、ＥＦＭディモジュレータ５６からの入力信号をＡＴＲＡＣに従って伸長、復号して、ディジタル−アナログ信号処理部５８へ出力する。ディジタル−アナログ信号処理部５８は、再生用ＡＴＲＡＣ信号処理部５７から入力信号をアナログのオーディオ信号へ変換し、再生オーディオ信号出力端子５９へ出力する再生オーディオ信号出力端子５９へは、スピーカが直接、又はアンプを介して接続され、そのスピーカより再生音が出力される。
【００３０】
録音時では、記録系４７と共に、再生系４８も作動する。なお、録音時では、光スポット３２ａがデータを書込もうとするトラック３０へ照射されるように設定されており、録音時の光スポット３２ａは、再生時の光スポット３２ａの光強度より大きくする必要がある。このため、例えば、回折格子板１３を録音時用と再生時用の２種類を用意し、アクチュエータで自動的に切替えられるようにする。そして、再生時では、再生時用の回折格子板１３を用いるとともに、半導体レーザ１２からのレーザ光の出力を弱め、また、録音時では、録音時用の回折格子板１３を用いるとともに、半導体レーザ１２からのレーザ光の出力を再生時より強くする。さらに、録音時用の回折格子板１３は、回折光１６ｂ，１６ｃの強度が再生時の強度まで低減するように、回折光１６ｂ，１６ｃを生成する回折格子板１３の部分のパターンや透過率に細工をしておく。
【００３１】
録音時では、光スポット３２ａ，３２ｂがそれぞれデータ書込み用及びデータ読出し用のトラック３０を照射することになる。すなわち、録音時では、光スポット３２ｂが照射されるトラック３０は、光スポット３２ｂが照射させるトラック３０よりＭＤ２０の半径方向へ内側隣りとなっており、ＭＤ２０において、録音は内側のトラック３０から順次行われるようになっているので、光スポット３２ｂの照射されるトラック３０のデータは、光スポット３２ａが照射されてデータを書込み済みとなったトラック３０のデータを１周遅れで読み取ったものとなる。
【００３２】
録音時では、記録系４７の録音信号入力端子５０に、これから録音しようとするオーディオアナログ信号が入力され、アナログ−ディジタル変換器５１においてディジタル信号へ変換されてから、記録用ＡＴＲＡＣ信号処理部５２へ入力される。記録しようとするオーディオ信号は、記録用ＡＴＲＡＣ信号処理部５２において、圧縮、符号化され、ＥＦＭモジュレータ５３へ出力される。ＥＦＭモジュレータ５３は、記録用ＡＴＲＡＣ信号処理部５２から入力される信号をＥＦＭで変調する。ＣＰＵは、非回折光１６ａによる光スポット３２ａがデータを書込むトラック３０に形成されるように、及び磁気ヘッド４５の磁束がそのトラック３０に影響を与えるように、光ピックアップ１１及び磁気ヘッド４５をトラッキング制御し（図３では、ＣＰＵの図示を省略し、ＥＦＭモジュレータ５３が直接光ピックアップ１１および磁気ヘッド４５のトラッキング制御するように、なっている。）、磁気ヘッド４５は、ＥＦＭモジュレータ５３から変調信号を入力されて、ＭＤ２０の対応部位へ磁束変化を印加し、オーディオデータをトラック３０に書込む。これに並行して、再生系４８では、ＥＦＭディモジュレータ５６は、回折光１６ｂの照射により光スポット３２ｂの形成されたトラック３０からの反射信号のＲＦ信号を光ピックアップ１１から入力され、それに基づいて生成したオーディオ信号を再生オーディオ信号出力端子５９へ出力し、再生オーディオ信号出力端子５９のオーディオ信号がスピーカやヘッドホーン等のオーディオ出力手段からモニター音として出力される。なお、再生時と録音時とにおける再生系４８における信号処理の違いは、再生時では、各光スポット３２ａ−ｃの形成される各トラック３０のからデータを読出すために、それら読出しデータの結合処理があるのに対して、録音時のモニター音の出力では、光スポット３２ｂの形成されるトラック３０のみからデータを読出しているので、読出しデータの結合処理がないことである。
【図面の簡単な説明】
【図１】ＭＤ録再機の光ピックアップの主要部の概略構成図である。
【図２】図１のＭＤにおける光スポットの形成を示す図である。
【図３】ＭＤ録再機のブロック図である。
【符号の説明】
１０    ＭＤ録再機（光ディスク用データ読書き装置）
１１    光ピックアップ
２０    ＭＤ（光ディスク）
３０    トラック
３２ａ    光スポット（データ書込み用光スポット）
３２ｂ    光スポット（データ読出し用光スポット）
【図１】
0003552583.tif 000002
【図２】
0003552583.tif 000003
【図３】
0003552583.tif 000004